【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
所定の電源電圧を示す第１の基準電位と、
グランド電位を示す第２の基準電位と、
入力信号と発振信号が供給され前記入力信号を変調／復調するミキサ回路と、
前記ミキサ回路の出力信号が供給され制御信号により利得が制御される利得制御回路とを有し、
前記第１と前記第２の基準電位間に前記利得制御回路と前記ミキサ回路が接続され、前記ミキサ回路の出力信号は電流出力とし、該電流出力を前記利得制御回路に供給し、前記利得制御回路は差動回路を有し、前記制御信号を差動入力端子に供給し、前記ミキサ回路からの出力電流を前記差動回路の電流源に供給する
利得制御変調／復調回路。
【請求項２】
前記差動回路は差動出力を合成するパイ型の負荷回路を有する
請求項１記載の利得制御変調／復調回路。
【請求項３】
前記ミキサの前記入力信号は、電流入力信号である、
請求項１記載の利得制御変調／復調回路。
【請求項４】
ベースバンド信号を増幅する第１と第２の増幅器と、
前記第１と第２の増幅器の出力信号と発振信号が供給され、４個のトランジスタを有し、第１と第２の変調信号を出力するギルバート型掛算器と、
前記第１と第２の変調信号が供給され、制御信号により利得が制御される前記ギルバート型掛算器の出力と基準電位間に設けられた第１と第２の利得制御回路とを有し、
前記第１と前記第２の基準電位間に前記利得制御回路は差動回路を有し、前記制御信号を差動入力端子に供給し、前記ギルバート掛算器からの出力電流を前記差動回路の電流源に供給する
利得制御変調／復調回路。
【請求項５】
前記差動回路は差動出力を合成するパイ型の負荷回路を有する
請求項４記載の利得制御変調／復調回路。
【請求項６】
前記ギルバート掛算器の前記入力信号は、ＶＩ変換回路で電圧−電流変換し、変換した電流をカレントミラー回路で所定倍増幅した
請求項４記載の利得制御変調／復調回路。
【請求項７】
ベースバンド信号を処理するベースバンド処理回路と、該ベースバンド処理回路からの出力信号を変調／復調し、該変調／復調された信号の利得を制御信号で制御する利得制御変調／復調回路を有する通信装置であって、
前記利得制御変調／復調回路は、
所定の電源電圧を示す第１の基準電位と、
グランド電位を示す第２の基準電位と、
入力信号と発振信号が供給され前記入力信号を変調／復調するミキサ回路と、
前記ミキサ回路の出力信号が供給され制御信号により利得が制御される利得制御回路とを有し、前記第１と前記第２の基準電位間に前記利得制御回路と前記ミキサ回路が接続され、
前記利得制御回路は差動回路を有し、前記制御信号を差動入力端子に供給し、前記ミキサ回路からの出力電流を前記差動回路の電流源に供給する
通信装置。
【請求項８】
前記差動回路は差動出力を合成するパイ型の負荷回路を有する
請求項７記載の通信装置。
【請求項９】
ベースバンド信号を処理するベースバンド処理回路と、該ベースバンド処理回路からの出力信号を変調／復調し、該変調／復調された信号の利得を制御信号で制御する利得制御変調／復調回路を有する通信装置であって、
前記利得制御変調／復調回路は、
前記ベースバンド処理回路の出力信号と発振信号が供給され、４個のトランジスタを有し、第１と第２の変調信号を出力するギルバート型掛算器と、
前記第１と第２の変調信号が供給され、制御信号により利得が制御される前記ギルバート型掛算器の出力と基準電位間に設けられた第１と第２の利得制御回路とを有し、
前記第１と第２の利得制御回路は差動回路を有し、前記制御信号を差動入力端子に供給し、前記ギルバート型掛算器からの出力電流を前記差動回路の電流源に供給する
通信装置。
【請求項１０】
前記差動回路は差動出力を合成するパイ型の負荷回路を有する
請求項９記載の通信装置。
【請求項１１】
前記ベースバンド処理回路はＶＩ変換回路を有し、ベースバンド信号を電圧−電流変換し、変換した電流をカレントミラー回路で所定倍増幅した
請求項９記載の通信装置。
【手続補正２】
【補正対象書類名】明細書
【補正対象項目名】０００９
【補正方法】変更
【補正の内容】
【０００９】
本発明の利得制御／復調回路は、所定の電源電圧を示す第１の基準電位と、グランド電位を示す第２の基準電位と、入力信号と発振信号が供給され前記入力信号を変調／復調するミキサ回路と、前記ミキサ回路の出力信号が供給され制御信号により利得が制御される利得制御回路とを有し、前記第１と前記第２の基準電位間に前記利得制御回路と前記ミキサ回路が接続され、前記ミキサ回路の出力信号は電流出力とし、該電流出力を前記利得制御回路に供給し、前記利得制御回路は差動回路を有し、前記制御信号を差動入力端子に供給し、前記ミキサ回路からの出力電流を前記差動回路の電流源に供給する。
【手続補正３】
【補正対象書類名】明細書
【補正対象項目名】００１０
【補正方法】変更
【補正の内容】
【００１０】
本発明の利得制御／復調回路は、ベースバンド信号を増幅する第１と第２の増幅器と、前記第１と第２の増幅器の出力信号と発振信号が供給され、４個のトランジスタを有し、第１と第２の変調信号を出力するギルバート型掛算器と、前記第１と第２の変調信号が供給され、制御信号により利得が制御される前記ギルバート型掛算器の出力と基準電位間に設けられた第１と第２の利得制御回路とを有し、前記第１と前記第２の基準電位間に前記利得制御回路は差動回路を有し、前記制御信号を差動入力端子に供給し、前記ギルバート掛算器からの出力電流を前記差動回路の電流源に供給する。
【手続補正４】
【補正対象書類名】明細書
【補正対象項目名】００１１
【補正方法】変更
【補正の内容】
【００１１】
本発明の通信装置は、ベースバンド信号を処理するベースバンド処理回路と、該ベースバンド処理回路からの出力信号を変調／復調し、該変調／復調された信号の利得を制御信号で制御する利得制御変調／復調回路を有する通信装置であって、前記利得制御変調／復調回路は、所定の電源電圧を示す第１の基準電位と、グランド電位を示す第２の基準電位と、入力信号と発振信号が供給され前記入力信号を変調／復調するミキサ回路と、前記ミキサ回路の出力信号が供給され制御信号により利得が制御される利得制御回路とを有し、前記第１と前記第２の基準電位間に前記利得制御回路と前記ミキサ回路が接続され、前記利得制御回路は差動回路を有し、前記制御信号を差動入力端子に供給し、前記ミキサ回路からの出力電流を前記差動回路の電流源に供給する。
【手続補正５】
【補正対象書類名】明細書
【補正対象項目名】００１２
【補正方法】変更
【補正の内容】
【００１２】
本発明の通信装置は、ベースバンド信号を処理するベースバンド処理回路と、該ベースバンド処理回路からの出力信号を変調／復調し、該変調／復調された信号の利得を制御信号で制御する利得制御変調／復調回路を有する通信装置であって、前記利得制御変調／復調回路は、前記ベースバンド処理回路の出力信号と発振信号が供給され、４個のトランジスタを有し、第１と第２の変調信号を出力するギルバート型掛算器と、前記第１と第２の変調信号が供給され、制御信号により利得が制御される前記ギルバート型掛算器の出力と基準電位間に設けられた第１と第２の利得制御回路とを有し、前記第１と第２の利得制御回路は差動回路を有し、前記制御信号を差動入力端子に供給し、前記ギルバート型掛算器からの出力電流を前記差動回路の電流源に供給する。
【手続補正６】
【補正対象書類名】図面
【補正対象項目名】図２
【補正方法】変更
【補正の内容】
【図２】
2006191278.tif 000001